(57)【要約】【課題】本発明は物品懸架装置に関するものであり、安全に収納操作が可能であるにも関わらず高い収納効率を確保することを目的とする。【解決手段】部屋の壁面１６に矩形枠形状のレール１０を配置し、レール１０は断面チャンネル状であり、チャンネルには摺動板がレール１０の水平部分10-1及び垂直部分10-2に摺動自在に収容され、ねじ式固定具によりレール１０の水平部分10-1及び垂直部分10-2の任意の部位に固定される。摺動板にハンガ板２５が取り付けられる。そのため、レール１０のチャンネル内を摺動板が摺動するとハンガ板２５もレール１０の水平部分10-1及び垂直部分10-2に沿って一緒に移動される。収納すべき物品はハンガ板２５に直接もしくはハンガ板２５間に設置されるハンガ棒や収納棚に収納する。また、レール１０を構成する枠は壁面上に一つもしくは複数設けられる。【選択図】  図１
2005261914.tif 000002
【特許請求の範囲】
【請求項１】
被取付部に装着され、スライド溝を備えたレールと、前記スライド溝に摺動自在であり、物品をレールに沿って移動可能に懸架する懸架具に連結しうるスライド部材と、スライド部材をレールの所定位置に固定する固定具とを備え、レールは異なった方向に延びる第１部分および第２部分とを備え、前記スライド部材は第１部分および第２部分間で前記スライド溝に沿って移動可能であることを特徴とする物品懸架装置。
【請求項２】
被取付面に固定され、スライド溝を備えたレールと、レールの前記スライド溝に摺動自在であり、物品をレールに沿って移動可能に懸架する懸架具に連結しうるスライド部材と、スライド部材をレールの所定位置に固定する固定具とを備え、レールは異なった方向に延びる第１部分および第２部分とを備え、前記スライド部材は第１部分および第２部分間で前記スライド溝に沿って移動可能であることを特徴とする物品懸架装置。
【請求項３】
被取付部に装着され、スライド溝を備えたレールと、レールの前記スライド溝に摺動自在であり、物品をレールに沿って移動可能に懸架する懸架具に連結しうるスライド部材と、スライド部材をレールの所定位置に固定する固定具とを備え、レールは第１の方向に直線的に延びる第１部分と第２部分に対して交差する方向に直線的に延びる第２部分とを備え、前記スライド部材は第１部分および第２部分間で前記スライド溝に沿って移動可能であることを特徴とする物品懸架装置。
【請求項４】
被取付部に装着され、スライド溝を備えたレールと、レールの前記スライド溝に摺動自在であり、物品をレールに沿って移動可能に懸架する懸架具に連結しうるスライド部材と、スライド部材をレールの所定位置に固定する固定具とを備え、レールは水平方向に延びる第１部分と垂直方向に延びる第２部分とを備え、前記スライド部材は第１部分および第２部分間で前記スライド溝に沿って移動可能であることを特徴とする物品懸架装置。
【請求項５】
被取付部に装着され、スライド溝を備えたレールと、レールの前記スライド溝に摺動自在であり、物品をレールに沿って移動可能に懸架する懸架具に連結しうるスライド部材と、スライド部材をレールの所定位置に固定する固定具とを備え、レールは閉じた矩形の枠形状をなし、前記スライド部材は前記枠形状の全体にわたって前記スライド溝に沿って移動可能であることを特徴とする物品懸架装置。
【請求項６】
被取付部に装着され、スライド溝を備えた複数のレールと、レールの前記スライド溝に摺動自在であり、物品を各レールに沿って移動可能に懸架する懸架具に連結しうるスライド部材と、各スライド部材をレールの所定位置に固定する固定具とを備え、各レールは異なった方向に延びる第１部分および第２部分とを備え、前記スライド部材は第１部分および第２部分間で前記スライド溝に沿って移動可能であることを特徴とする物品懸架装置。
【発明の詳細な説明】
【技術分野】
【０００１】
この発明は物品懸架装置に関するものであり、壁面等の被取付面にレールを固定し、レールに摺動自在な懸架具に物品を懸架式に取り付けるようにしたものである。
【背景技術】
【０００２】
壁面に水平方向に固定されるレール部材と、レール部材の内部空洞に係止されることにより壁面に懸架装着される被装着部材（棚部材等）とから成る物品懸架装置が公知である（特許文献１〜３参照）。従来の壁面懸架装置においては、被装着部材の挿入部をレール部材の内部空洞に挿入し、被装着部材から手を離し自重をかけたときの転倒方向のモーメントを被装着部材をその下端側で対向壁面に当接させると共に上端側において挿入部をレール部材の内部空洞に係合させることにより受け止めている。また、被装着部材は反対方向に引き出すことだけでレール部材から抜去することができる。被装着部材は棚やハンガーなどの各種の形態を持つことができるが、壁面に固定されたレール部材に対してユニバーサルに着可能とするべく一定形状の挿入部を有しており、簡便にかつ適宜に抜き差しして使用することが可能となっいる。
【０００３】
【特許文献１】特開平１１−７１８４４号公報
【特許文献２】特開２００２−３６４１０３公報
【特許文献３】特開２００３−２１９９２７公報
【発明の開示】
【発明が解決しようとする課題】
【０００４】
特許文献１〜３参照に記載の従来技術の場合、装着離脱の操作性は極めて良好であり、女子や子供などの体力的に劣るものも容易に作業可能できる。しかしながら、離脱の場合も一方向に引き出すだけであることから、比較的に軽微な力で引き出すことができるが、完全に抜去後はいきなり全量の荷重がかかるため、荷重の急激な変化についてゆけないため、足元に落下させたりすることがあった。また、従来の物品懸架装置はレールは横方向にのみ延びているだけであるため、縦方向における被取付面の利用効率が良くなく、物品の効率的な収納の観点からは不満であった。
【０００５】
この発明は安全に収納操作が可能であるにも関わらず高い収納効率を確保することを目的とする。
【課題を解決するための手段】
【０００６】
請求項１に記載の発明によれば、被取付部に装着され、スライド溝を備えたレールと、前記スライド溝に摺動自在であり、物品をレールに沿って移動可能に懸架する懸架具に連結しうるスライド部材と、スライド部材をレールの所定位置に固定する固定具とを備え、レールは異なった方向に延びる第１部分および第２部分とを備え、前記スライド部材は第１部分および第２部分間で前記スライド溝に沿って移動可能であることを特徴とする物品懸架装置が提供される。
【０００７】
請求項２に記載の発明によれば、被取付面に固定され、スライド溝を備えたレールと、レールの前記スライド溝に摺動自在であり、物品をレールに沿って移動可能に懸架する懸架具に連結しうるスライド部材と、スライド部材をレールの所定位置に固定する固定具とを備え、レールは異なった方向に延びる第１部分および第２部分とを備え、前記スライド部材は第１部分および第２部分間で前記スライド溝に沿って移動可能であることを特徴とする物品懸架装置が提供される。
【０００８】
請求項３に記載の発明によれば、被取付部に装着され、スライド溝を備えたレールと、レールの前記スライド溝に摺動自在であり、物品をレールに沿って移動可能に懸架する懸架具に連結しうるスライド部材と、スライド部材をレールの所定位置に固定する固定具とを備え、レールは第１の方向に直線的に延びる第１部分と第２部分に対して交差する方向に直線的に延びる第２部分とを備え、前記スライド部材は第１部分および第２部分間で前記スライド溝に沿って移動可能であることを特徴とする物品懸架装置が提供される。
【０００９】
請求項４に記載の発明によれば、被取付部に装着され、スライド溝を備えたレールと、レールの前記スライド溝に摺動自在であり、物品をレールに沿って移動可能に懸架する懸架具に連結しうるスライド部材と、スライド部材をレールの所定位置に固定する固定具とを備え、レールは水平方向に延びる第１部分と垂直方向に延びる第２部分とを備え、前記スライド部材は第１部分および第２部分間で前記スライド溝に沿って移動可能であることを特徴とする物品懸架装置が提供される。
【００１０】
請求項５に記載の発明によれば、被取付部に装着され、スライド溝を備えたレールと、レールの前記スライド溝に摺動自在であり、物品をレールに沿って移動可能に懸架する懸架具に連結しうるスライド部材と、スライド部材をレールの所定位置に固定する固定具とを備え、レールは閉じた矩形の枠形状をなし、前記スライド部材は前記枠形状の全体にわたって前記スライド溝に沿って移動可能であることを特徴とする物品懸架装置が提供される。
【００１１】
請求項６に記載の発明によれば、被取付部に装着され、スライド溝を備えた複数のレールと、レールの前記スライド溝に摺動自在であり、物品を各レールに沿って移動可能に懸架する懸架具に連結しうるスライド部材と、各スライド部材をレールの所定位置に固定する固定具とを備え、各レールは異なった方向に延びる第１部分および第２部分とを備え、前記スライド部材は第１部分および第２部分間で前記スライド溝に沿って移動可能であることを特徴とする物品懸架装置が提供される。
【発明の効果】
【００１２】
請求項１の発明の作用・効果を説明すると、スライドレールは異なった方向に延びる第１部分および第２部分とを備え、スライドレールの第１部分および第２部分のいずれの部分にもスライド部材を移動させ、所望の位置で固定具により固定し、物品を簡便確実に懸架取付することができる。
【００１３】
請求項２の発明の作用・効果を説明すると、請求項１の発明と同様にスライドレールの第１部分および第２部分のいずれの部分にもスライド部材を移動させ、所望の位置で固定具により固定し、物品の懸架取付を簡便確実に行うことができ、またスライドレールを被取付面に固定しているため、壁面の利用効率を高め、収納効率を高めることができる。
【００１４】
請求項３の発明の作用・効果を説明すると、スライドレールの相互に直交する第１部分と第２部分との間で請求項１の発明と同様にスライド部材を簡便に移動させ、所望の位置に固定することができる。
【００１５】
請求項４の発明の作用・効果を説明すると、スライドレールの水平第１部分と垂直第２部分との間で請求項１の発明と同様にスライド部材を簡便に移動させ、所望の位置に固定することができる。
【００１６】
請求項５の発明の作用・効果を説明すると、レールを枠形状とすることにより壁面の利用効率を高め、最大限の懸架・収納効率を実現することができる。
【００１７】
請求項６の発明の作用・効果を説明すると、それぞれが第１部分及び第２部分を有した複数のレールを設けることで、収納の自由度が高められ、壁面上への懸架・収納効率を高めることができる。
【発明を実施するための最良の形態】
【００１８】
図１において、１０は矩形枠状に構成したレールであり、この実施形態では天井１２と床１４との間を直立して延びる壁面１６（この発明の被取付面又は被取付部）にビス（図示しない）などの適当な手段により固定されている。被取付面としては必ずしも部屋の固定した壁面に限らず、ドアなど移動する壁面であってもかまわない。矩形枠体としてのレール１０は水平部分10-1（この発明の第１部分）と垂直部分10-2（この発明の第２部分）とから成る。水平部分10-1と垂直部分10-2とはその接合部分はこの実施形態においては図２に示すように４５度に切断・接合されており、水平部分10-1と垂直部分10-2とは９０度をなしている。
【００１９】
レール１０の形状としてはそれが延びる、異なる方向が少なくとも２つあればよく、矩形に閉じている必要はなく、３角形や多角形状のものであってもよく、また、完全に閉じておらずＬ型形状のもの（図１０参照）であってもよい。
【００２０】
この実施形態において、レール１０は図３に示すように断面において外面側（図３では上方）に開口した実質的にＣ状のチャンネル１８を有し、そのため外側に開口した直線状のスリット１０Ａが正面から見てレール１０の形状に相似の矩形をなしている。レール１０のチャンネル１８には摺動板２０（この発明の摺動部材）がチャンネルの延びる方向に摺動自在に収容される。図２に関連して既に説明のようにレール１０の水平部分10-1と垂直部分10-2とは４５度の切断面にて接合されている。そのため、摺動板２０は矢印ａのようにレール１０の水平部分10-1と垂直部分10-2との間でチャンネル１８に沿って摺動板２０を円滑に移動させることができる。
【００２１】
図３において、摺動板２０には上下に貫通してねじ孔が形成され、このねじ孔にはストッパねじ２２（この発明の固定具）が螺合され、ストッパねじ２２はスリット１０Ａを介して外側に突出し、ストッパねじ２２の外端が摘み２４に形成される。摘み２４を回すことによりストッパねじ２２を締結してゆくことにより先端はチャンネル１８の底面に当接され、摺動板２０はチャンネル１８の上面に当接され、摺動板２０をチャンネル１８の任意の位置に固定することができる。摘み２４の部分をハンガ形状に構成することにより、このハンガ形状部分により物品を懸架取付するような使用態様が可能である。
【００２２】
図１には矩形枠形状のレール１０の左右の垂直部分10-2にハンガ板２５を設けることによる物品の懸架方式の一例が示される。図４〜図６によってこの物品件が方式を説明すると、レール１０の左右の垂直部分10-2の各々において、チャンネル１８を摺動するように摺動板２０は上下に少し離間して一対設けられる。各摺動版２０にはストッパねじ２２が螺合される。各摺動板にはハンガ板２５が設けられ、ハンガ板２５はこの実施形態ではそのサポート板２６に対して可撓式であり、二つの枢軸28A,  28Bを備えている。サポート板２６は取付板２７に固定される。ストッパねじ２２は取付板２７を遊嵌されており、外側より摘み２４の操作により摺動板２０の弛緩（摺動板２０の摺動）及びロック（摺動板２０の固定）が可能となっている。第１の枢軸２８Ａはハンガ板２５に固定であり、ハンガ板２５から両側に延びる第１の枢軸２８Ａの端部はハンガサポート板２６に形成される案内溝３０に延びている。第２の枢軸２８Ｂは両端がサポート板２６に固定であり、第２の枢軸２８Ｂはその中間部がハンガ板２５に形成される水平長孔３２を挿通される。図４の実線状態ではハンガ板２５は相対的に前方に引き出され、第１の枢軸２８Ａが案内溝３０の上端最全部の窪み３０Ａに係合することで、ハンガは水平状態に保持されている。左右のハンガ板２５をこの水平状態とし、水平状態のハンガ４の間にハンガ棒３４を配置し、ボルト３６により止めることができる。そして、ハンガ棒３４を利用して物品の懸架取付を行うことができる。
【００２３】
この実施形態においてはハンガは折り畳み式に収納が可能であり、ハンガ棒３４を外し、ハンガ板２５を押し込む（第２の枢軸２８Ｂを収容する長孔３２の余裕分だけ押し込みが可能である）ことにより第１の枢軸２８Ａが案内溝３０から離脱され、ハンガ板２５は第２の枢軸２８Ｂの周りに矢印ｂ方向に回動され、想像線２４Ａに示す折り畳み状態が可能である。また、案内溝３０の中間部に窪み３０Ｂを設け、ここに係止することでハンガ板２５の中間角度位置を取ることも可能である。
【００２４】
図１の実施形態においては上下のねじ２２を緩めることで上下の摺動板２０をフリーとすることで、ハンガ板２５の高さ位置をレール１０の左右の垂直部分10-2の任意の高さ位置に調整・固定することが可能であり、壁面１０の高さ方向の任意の位置での物品の取付が可能となり、物品の収納（懸架・固定）効率を高めることができる。また、図１では左右のハンガ板２５とハンガ棒３４とからなる組合せを上下に二つ示しているが、任意の数とすることが可能である。
【００２５】
図８はこの発明の別実施形態を示しており、この実施形態では外側の矩形枠状のレール５０と内側の矩形枠状のレール５２とを設け、壁面に固定している。レール５２は図７は簡明化のため略示しているが、図２及び図３と同様に外向きに開放したＣ断面のチャンネル状をなし、チャンネル内に収容される摺動板に図４〜図６と同一方式でハンガ板２５を儲けている。この実施形態では外側のレール５０と内側のレール５０との間の一対のハンガ板２５（図７では簡明化のため略示しているが、図３〜７と同様の構造でレール５０に沿って摺動可能とされる）を設け、ハンガ板２５にハンガ棒３４を図５と同一方式で張設し、ハンガ棒３４に直接物品を懸架取付してもよいし、ハンガ棒３４に収納棚（図示せず）を設置するようにしてもよい。
【００２６】
図９は別の収納方式を示し、この場合においては、やや小ぶりの矩形枠状のレール６０を壁面上に左右一対設け、レールの離間した垂直部分と近接した垂直部分にハンガ板２５を設け、ハンガ板２５間にハンガ棒３４を張設している。
【００２７】
図１０は更に別の収納方式で、レール６２はＬ型であるが、レールの構造は図２と同様にＬ型チャンネルであり、このＬ型チャンネルのレールに図４〜図６と同一方式で摺動板を収容し、摺動板に図４と同様にハンガ板２５を設け、ハンガ板２５間にハンガ棒３４を張設し、ハンガ棒３４に物品を懸架させたり、物品収納棚を装着したものである。
【００２８】
図１１は作り付け若しくは単体型の家具を示し、蝶番軸３８の廻りを回動可能な開閉扉４０（この発明の被取付面又は被取付部）の前面にこの発明のレール１０を設けたものである。レール１０の構造は図２と同様であり、外向きに開放したＣ断面のチャンネル状をなし、レール１０の水平部分10-1と垂直部分10-2はその底面がビスなどにより開閉扉４０の前壁面に固定されている。図４と同様な構成によりハンガ板２５がレール１０のＣ状のチャンネルを摺動自在に設けられ、同様なねじ式の締結手段により任意の位置にロックすることができる。ハンガ板２５間にハンガ棒３４が張り渡され、物品の懸架に供することができる。
【００２９】
図１２はスライド型の開閉扉（この発明の被取付面又は被取付部）４２を有した家具へのこの発明の応用を示す。開閉扉４２は水平部分10-1と垂直部分10-2とからなる枠状のレール１０として構成される。枠４２を構成するレール１０の水平部分10-1と垂直部分10-2とは図１３及び図１４に示される構造の接合ユニット４４により一体化（剛直化）される。接合ユニット４４は接合板４６と、一対の摺動板48, 50と、各摺動板48, 50に螺合されるストッパねじ52, 54とから構成される。摺動板４８はレール１０の垂直部分10-2のＣ型チャンネル１８に上下摺動自在に収容され、摺動板５０はレール１０の水平部分10-1のＣ型チャンネル１８に左右摺動自在に収容される。ストッパねじ52, 54を締結することにより水平部分10-1と垂直部分10-2は接合板４６を介して一体化され、強固な枠体を構成することができる。図１２に示すようにハンガ板２５がレール１０のＣ状のチャンネルを摺動自在に設けられ、任意の位置にロックすることができる。ハンガ板２５間にハンガ棒３４が張り渡され、物品を懸架することができる。Ｃ状のチャンネルに対するハンガ板２５の取り付け構造は図４と同様なものを採用することができる。接合ユニット４４により枠体として一体化したレール１０の下面にはスライドローラ６０が設けられ、スライドローラ６０は家具の底面６２上の図示しないレールに載置され、レール１０（枠体）の上面も同様なローラ６１により家具の上面６４の図示しない案内部に案内される。そのため、レール１０（枠体）より成る開閉枠４２自体が矢印Ｆのように左右に移動され、レール１０（枠体）を被取付部としての家具の下面及び上面に摺動式に装着する構造が実現される。開閉枠４２の背面側における家具の内部は収納棚６６を備えており、開閉枠４２を適宜左右に移動させることにより、収納棚６６の所望部分へのアクセスが可能となる。
【００３０】
図１２の実施形態ではレール１０自体より開閉枠４２を構成しており、しかもレール１０にもハンガ板２５を任意の位置に取り付け物品を懸架装着することができ、物品の収納効率のより一層の向上を実現することができる。尚、図１２の実施形態では、レール１０の内側には薄板を取り付けることで、開閉枠４２を扉様に構成したものを想定しているが、単なる枠として使用することももとより可能である。
【図面の簡単な説明】
【００３１】
【図１】図１はこの発明の第１の実施形態における物品懸架装置の概略的正面図である。
【図２】図２は枠形状のレールのコーナー部の拡大図である。
【図３】図３は図２のIII−III線に沿って表される矢視断面図である。
【図４】図４は図１のIV−IV線に沿って表される矢視断面図であり、ハンガ板の側面形状を示している。
【図５】図５は図１のV−V線に沿って表される矢視断面図であり、ハンガ板の上面形状を示している。
【図６】図６は図１のVI−VI線に沿って表される矢視断面図である。
【図７】図７は図４のVII方向よりみて示すハンガ板の形状を示している。
【図８】図８はこの発明の第２の実施形態における枠形状のレール配置を概略的に示す図である。
【図９】図９はこの発明の第３の実施形態における枠形状のレール配置を概略的に示す図である。
【図１０】図１０はこの発明の第４の実施形態におけるＬ形状のレール配置を概略的に示す図である。
【図１１】図１１はこの発明の第５の実施形態を示し、回転型の開閉扉を備えた作り付け家具へのこの発明の応用を示す概略的斜視図である。
【図１２】図１２はこの発明の第６の実施形態を示し、スライド型の開閉扉を備えた作り付け家具へのこの発明の応用を示す概略的正面図である。
【図１３】図１３は図１２におけるスライド扉（枠体）を構成するためのこの発明のレールの接合構造を示し図である。
【図１４】図１４におけるXIII−XIII線に沿った矢視断面図である。
【符号の説明】
【００３２】
１０…レール
10-1…レールの水平部分
10-2…レールの垂直部分
２０…摺動板
２２…ストッパねじ（この発明の固定具）
２４…摘み
２５…ハンガ板
２６…サポート板
28A,  28B…枢軸
３０…案内溝
３２…水平長孔
３４…ハンガ棒
【図１】
2005261914.tif 000003
【図２】
2005261914.tif 000004
【図３】
2005261914.tif 000005
【図４】
2005261914.tif 000006
【図５】
2005261914.tif 000007
【図６】
2005261914.tif 000008
【図７】
2005261914.tif 000009
【図８】
2005261914.tif 000010
【図９】
2005261914.tif 000011
【図１０】
2005261914.tif 000012
【図１１】
2005261914.tif 000013
【図１２】
2005261914.tif 000014
【図１３】
2005261914.tif 000015
【図１４】
2005261914.tif 000016